(57)【特許請求の範囲】
【請求項１】
燃料タンクからエンジン供給管まで延びるパージ通路と、
このパージ通路上において、前記燃料タンクの下流側に設けられ、当該燃料タンクからの蒸発燃料を受け入れ、かつ蓄積するキャニスタと、
このキャニスタに新気を導入するための大気開放弁と、
前記パージ通路上において、前記キャニスタの下流側に設けられ、前記キャニスタ内に負圧を発生させる加圧ポンプと、
前記パージ通路上において、前記加圧ポンプと前記供給管との間に設けられた第１のパージ弁とを備える蒸発燃料処理装置であって、
前記加圧ポンプと前記第１のパージ弁との間において前記パージ通路から分岐する分岐通路と、
この分岐通路上に設けられ、前記第１のパージ弁の弁径よりも小さい弁径を有する第２のパージ弁とを備え、
前記キャニスタから流れてきた蒸発燃料の濃度が所定値よりも高い場合には、前記第２のパージ弁を開弁制御し、かつ前記第１のパージ弁を閉弁して蒸発燃料を前記分岐通路からエンジン供給管に供給すること、を特徴とする蒸発燃料処理装置。
【請求項２】
前記キャニスタから流れてきた蒸発燃料の濃度が所定値よりも低い場合には、前記第１のパージ弁及び前記第２のパージ弁の両方を開弁制御して蒸発燃料を前記パージ通路及び前記分岐通路からエンジン供給管に供給する、請求項１に記載の蒸発燃料処理装置。
【請求項３】
前記エンジンへの吸入空気量が所定値よりも多い場合には、前記第１のパージ弁を開弁制御し、かつ前記第２のパージ弁を閉弁して蒸発燃料を前記分気通路から前記エンジン供給管に供給する、請求項１に記載の蒸発燃料処理装置。
【請求項４】
前記エンジンへの吸入空気量が所定値よりも低い場合には、前記第１のパージ弁を開弁制御し、かつ前記第２のパージ弁を閉弁して蒸発燃料を前記分気通路から前記エンジン供給管に供給する、請求項２に記載の蒸発燃料処理装置。
【発明の詳細な説明】
【技術分野】
【０００１】
本発明は、蒸発燃料処理装置に関し、特に、高い精度で蒸発燃料をエンジンに供給することができる蒸発燃料処理装置に関する。
【背景技術】
【０００２】
従来から、自動車の燃料タンク中で発生した蒸発燃料を処理するための蒸発燃料処理装置が知られている。一般的な蒸発燃料処理装置は、燃料タンクと、エンジンの上流側に接続されているエンジン吸気管との間に延びるパージ通路を備えている。また、パージ通路上には、燃料タンクから流れてきた蒸発燃料を受け入れ、蓄積する活性炭等からなるキャニスタが設けられている。そして、燃料タンク内の蒸発燃料は、燃料タンクから排出され、パージ通路を通ってキャニスタに蓄積される。キャニスタに蓄積された蒸発燃料をエンジン吸気管に供給する場合、所定のパージタイミングにおいて、エンジン吸気管内のスロットル弁を絞り、パージ通路内に負圧を発生させる。そして、パージ通路内で発生した負圧により、キャニスタに蓄積されている蒸発燃料は、パージ通路下流側に向けて吸い出され、エンジン吸気管を通してエンジンに供給される（例えば、特許文献１）。
【先行技術文献】
【特許文献】
【０００３】
【特許文献１】特開２００９−１３８５６１号公報
【発明の概要】
【発明が解決しようとする課題】
【０００４】
近年では、エンジンの上流側に配置されているスロットル弁を常に開弁状態とすることでエンジンのポンプロスを低減するシステムの開発が進められている。そして、このようなシステムでは、スロットル弁を絞る機会が殆どなく、キャニスタに蓄積された蒸発燃料をパージすることが困難である。従って、このようなシステムでは、スロットル弁に代わってパージ通路内に負圧を発生させるための加圧ポンプを配置し、加圧ポンプを作動させることによりキャニスタに蓄積された蒸発燃料を吸引し、エンジン供給管に供給するようにしている。
【０００５】
しかしながら、加圧ポンプを使用した場合、エンジン供給管に蒸発燃料を供給する際の供給量の制御性が悪化する、という問題があった。即ち、パージ通路内に加圧ポンプを配置する場合、加圧ポンプの大型化、及び加圧ポンプを駆動させるために必要なエネルギーの増加を防止する観点から、燃料を吸引するために必要な最低限の出力のものが用いられる。そして、比較的出力が低い加圧ポンプを用いた場合、加圧ポンプの前後のパージ通路内の差圧がそれほど高くならないため、加圧ポンプの加圧力の変動、及び吸気管脈動等の比較的小さい圧力変動によっても、加圧ポンプ出力に大きな影響を受けてしまう。これにより、目標とする蒸発燃料の供給量と、実際にエンジン供給管に供給される蒸発燃料の量との差が大きくなる場合がある。
【０００６】
そこで本発明は、上述した問題点を解決するためになされたものであり、加圧ポンプの加圧力の変動に関わらず、エンジン供給管への蒸発燃料の供給量を高い精度で制御することができる蒸発燃料処理装置を提供することを目的とする。
【課題を解決するための手段】
【０００７】
上述した課題を解決するために、本発明は、燃料タンクからエンジン供給管まで延びるパージ通路と、このパージ通路上において、前記燃料タンクの下流側に設けられ、当該燃料タンクからの蒸発燃料を受け入れ、かつ蓄積するキャニスタと、このキャニスタに新気を導入するための大気開放弁と、前記パージ通路上において、前記キャニスタの下流側に設けられ、前記キャニスタ内に負圧を発生させる加圧ポンプと、前記パージ通路上において、前記加圧ポンプと前記供給管との間に設けられた第１のパージ弁とを備える蒸発燃料処理装置であって、前記加圧ポンプと前記第１のパージ弁との間において前記パージ通路から分岐する分岐通路と、この分岐通路上に設けられ、前記第１のパージ弁の弁径よりも小さい弁径を有する第２のパージ弁とを備え、前記キャニスタから流れてきた蒸発燃料の濃度が所定値よりも高い場合には、前記第２のパージ弁を開弁制御し、かつ前記第１のパージ弁を閉弁して蒸発燃料を前記分岐通路からエンジン供給管に供給すること、を特徴とする。
【０００８】
このように構成された本発明によれば、加圧ポンプとエンジン供給管との間に、第１のパージ弁が形成されたパージ通路と、第２のパージ弁が形成された分岐通路との２つの通路を形成することができる。そして、キャニスタから流れてきた蒸発燃料の濃度が、所定値よりも高い場合には、弁径の小さい第２のパージ弁を開弁制御し、第１のパージ弁を閉弁することにより、蒸発燃料の流量を抑制しながらエンジン供給管に供給することができる。蒸発燃料の量が比較的多い場合に、比較的大きい弁径の弁を通して蒸発燃料の量を制御しようとすると、加圧ポンプの変動や吸気管脈動によって、蒸発燃料の供給量が大幅に変動してしまう。これに対して本発明のように、蒸発燃料の量が比較的多い場合には、比較的弁径の小さい第２のパージ弁を利用することで、加圧ポンプの加圧力が変動したとしても、それによって蒸発燃料の供給量が変動するのを抑制することができる。
【０００９】
また、この場合において、前記キャニスタから流れてきた蒸発燃料の濃度が所定値よりも低い場合には、前記第１のパージ弁及び前記第２のパージ弁の両方を開弁制御して蒸発燃料を前記パージ通路及び前記分岐通路からエンジン供給管に供給することが好ましい。
【００１０】
このように構成された本発明によれば、キャニスタから流れてきた蒸発燃料の濃度が、所定値よりも低い場合には、第１のパージ弁及び第２のパージ弁の両方を開弁制御し、２つのパージ弁を開弁制御することにより比較的大きな流路を確保することができる。これにより、大量の蒸発燃料をエンジン供給管に供給することができる。
【発明の効果】
【００１１】
以上のように、本発明によれば、加圧ポンプの加圧力の変動に関わらず、エンジン供給管への蒸発燃料の供給量を高い精度で制御することができる。
【図面の簡単な説明】
【００１２】
【図１】本実施形態による蒸発燃料処理装置のシステム構成図である。
【図２】本発明の実施形態による蒸発燃料処理装置の動作を説明するためのフロー図である。
【図３】本発明の実施形態による蒸発燃料処理装置の動作を示すフロー図であり、蒸発燃料の濃度を推定する処理を示すフロー図である。
【図４】本発明の実施形態による蒸発燃料処理装置が使用する、圧力の差（ΔＰ）と、濃度（ρ）との関係を示すマップである。
【図５】本発明の実施形態による蒸発燃料処理装置が使用する、吸入空気量（Ｑａ）と、推定された蒸発燃料の濃度（ρ）と、開弁制御されるパージ弁との関係を示すグラフである。
【図６】本発明の実施形態による蒸発燃料処理装置が使用する、第１のパージ弁、及び第２のパージ弁の開閉デューティーを示すグラフである。
【発明を実施するための形態】
【００１３】
以下、図面を参照して、本発明の実施形態による蒸発燃料処理装置について説明する。図１は、本実施形態による蒸発燃料処理装置のシステム構成図である。
【００１４】
まず、図１に示すように、蒸発燃料処理装置１は、エンジン吸気管３と、燃料タンク５との間に延びるパージ通路７を備えている。エンジン供給管３は、エアクリーナー９から導入した空気を、エンジン１１に供給するように構成されている。エンジン供給管３内には、エンジン１１に供給する空気の量を調整するためのスロットル弁１３が設けられている。なお、本実施形態では、例えば、エンジン１１は、低負荷領域において自己着火運転を行うものであり、スロットル弁１３は、基本的に常に開弁状態とされている。また、エンジン吸気管３内には、エンジン吸気管３内の圧力を検出するための吸気圧力センサ１５が設けられている。
【００１５】
また、パージ通路７における燃料タンク５の下流側には、燃料タンク５内の蒸発燃料を受け入れ、蓄積するキャニスタ１７が設けられている。
【００１６】
キャニスタ１７は、例えば、活性炭等の吸着材を収容している。そして、燃料タンク５から流れてきた蒸発燃料を、一旦、吸着材で吸着する。キャニスタ１７、大気開放弁１９を介して、大気に向けて開放された大気開放口２１と接続されている。
【００１７】
パージ通路７におけるキャニスタ１７の下流側には、例えば遠心式ポンプによって構成され、パージ通路７内の圧力を変化させるための加圧ポンプ２３、及びパージ通路７を開閉する第１のパージ弁２５が設けられている。パージ通路７における、加圧ポンプ２３と第１のパージ弁２５との間には、蓄圧室２７と、当該蓄圧室２７内の圧力を検出するためのパージ圧力センサ２９が設けられている。蓄圧室２７には、さらに、蓄圧室２７からエンジン供給管３まで延びる分岐管３１が接続されている。
【００１８】
分岐管３１は、蓄圧室２７より、パージ通路７から分岐してエンジン供給管３まで延びている。そして、分岐管３１内には、当該分岐管３１を開閉する第２のパージ弁３３が設けられている。第２のパージ弁３３は、第１のパージ弁２５とは独立して制御され、第１のパージ弁２５の弁径よりも小さい弁径を有している。一例として、第１のパージ弁２５は、４０Ｌ／ｍｉｎ程度の気体を流せる弁径を有しており、第２のパージ弁３３は、２０Ｌ／ｍｉｎ程度の気体を流せる弁径を有している。
【００１９】
蒸発燃料処理装置１は、さらに、スロットル弁１３、大気開放弁１９、加圧ポンプ２３、第１のパージ弁２５、及び第２のパージ弁３３を制御し、かつ、吸気圧力センサ１５、及びパージ圧力センサ２９からの検出値を受け取るＥＣＵ３５を備えている。
【００２０】
次に、蒸発燃料処理装置１の動作について説明する。図２は、蒸発燃料処理装置の動作を説明するためのフロー図である。
【００２１】
エンジンが始動して一連の処理が開始すると、ステップＳ１において蒸発燃料処理装置１は、蒸発燃料のパージ条件が成立したか否かを判断する。この処理は、ＥＣＵ３５がエンジン１１の運転状態をモニタリングし、エンジン１１が所定の運転状態に達したか否かを判断することで実行される。
【００２２】
次いで、ステップＳ２において蒸発燃料処理装置１は、キャニスタ１７から蒸発燃料をパージした際のパージ通路７内の蒸発燃料の濃度を推定する。蒸発燃料の濃度を推定する方法としては、様々な方法が知られているが、一例として、以下の推定方法を適用することができる。
【００２３】
図３は、ステップＳ２における蒸発燃料の濃度を推定する処理を示すフロー図である。図３に示すフロー図は、エンジン駆動開始と共に実行され、エンジンが停止するまで繰り返し実行される。
【００２４】
一連の処理が開始すると、ステップＳ２０１において蒸発燃料処理装置１は、加圧ポンプ２３を駆動する。また、大気開放弁１９が閉弁状態にある場合には、大気開放弁１９を開弁状態とする。この処理は、ＥＣＵ３５による制御のもと、加圧ポンプ２３に駆動電圧を印可し、加圧ポンプ２３を所定の回転数で駆動させ、かつ大気開放弁１９を制御することで行われる。そして、加圧ポンプ２３を所定の回転数で駆動すると、大気開放口２１及びキャニスタ１７を通してパージ通路７内に流れ込む気流が発生する。そして、この気流により、キャニスタ１７内に蓄積された蒸発燃料が、パージ通路７の下流側に向けて流れる。
【００２５】
次いで、ステップＳ２０２において蒸発燃料処理装置１は、第１のパージ弁２５及び第２のパージ弁３３を閉弁する。これにより、加圧ポンプ２３の出力側と、第１のパージ弁２５及び第２のパージ弁３３との間の空間、即ち蓄圧室２７が実質的な閉鎖空間とされる。
【００２６】
次いで、ステップＳ２０３において蒸発燃料処理装置１は、蓄圧室２７内の圧力を検出する。即ち、ステップＳ２０２において第１のパージ弁２５及び第２のパージ弁３３を閉弁すると、実質的な閉鎖空間である蓄圧室２７が加圧ポンプ２３によって加圧され、蓄圧室２７内の圧力が上昇する。そして、蓄圧室２７内の圧力が一定の圧力に達すると、加圧ポンプ２３からの気体が蓄圧室２７内に流入できなくなる。これにより、蓄圧室２７内の圧力は安定し、加圧ポンプ２３からの気体の流入量は、ゼロになる。そして、ＥＣＵ３５は、気体の流入量Ｑがゼロになったときの蓄圧室２７内の圧力を検出する。
【００２７】
次いで、ステップＳ２０４において蒸発燃料処理装置１は、蒸発燃料の濃度を推定する。蒸発燃料の濃度を推定するための方法としては、蒸発処理装置１内に、加圧ポンプ２３によって、蒸発燃料を含まない気体を蓄圧室２７内に流入させたときの蓄圧室２７内の圧力と、蒸発燃料を含む気体を蓄圧室２７内に流入させたときの蓄圧室２７内の圧力の差（ΔＰ）と、蒸発燃料の濃度（ρ）との関係を示すデータを予め記憶させておき、当該データに基づいて蒸発燃料の濃度を推定する方法がある。加圧ポンプ２３によって、蒸発燃料を含まない気体を蓄圧室２７内に流入させたときの蓄圧室２７内の圧力（Ｐ１）は、予め測定され、蒸発燃料処理装置１内に格納された値である。蒸発燃料を含まない気体に関する圧力を測定するためには、加圧ポンプ２３と同一のポンプを用い、蓄圧室２７と同一の容積を有する空間内に、加圧ポンプ２３の駆動条件と同じ条件で駆動して気体を流入させる。
【００２８】
そして、同様の測定方法により、異なる濃度の蒸発燃料を含む気体についても、加圧後の圧力（Ｐ２）を測定する。そして、各濃度値について、値（Ｐ２）と値（Ｐ１）との差（ΔＰ）を算出し、図４に示すような、差（ΔＰ）と、濃度（ρ）との関係を示すマップを作成し、蒸発燃料処理装置１に格納する。気体中の粒子の濃度と、気体の圧力とは、比例関係を示すため、差（ΔＰ）と、濃度（ρ）との関係は、線Ｌ１によって示されるように、比例関係を示す。そして、蒸発燃料の濃度を推定するときは、ＥＣＵ３５は、パージ圧力センサ２９によって検出された値（Ｐ２）と、予め測定された、蒸発燃料を含まない気体を蓄圧室２７内に流入させたときの蓄圧室２７内の圧力（Ｐ１）との差（ΔＰ）を算出する。次いでＥＣＵ３５は、差（ΔＰ）に基づいて、図４に示すマップを参照し、蒸発燃料の濃度（ρ）を推定する。
【００２９】
蒸発燃料の濃度推定処理を行った後、蒸発燃料処理装置１は、図２のステップＳ３以降の処理を実行する。
【００３０】
ステップＳ３において蒸発燃料処理装置１は、推定された蒸発燃料の濃度が、所定の基準濃度以上であるか否かを判断する。この処理は、ＥＣＵ３５が、ステップＳ２において推定された蒸発燃料の濃度と、予め決定された基準濃度とを比較することで行われる。そして、推定された蒸発燃料の濃度が、所定の基準濃度以上である場合には、ステップＳ４以降の処理を実行する。
【００３１】
ステップＳ４において蒸発燃料処理装置１は、エンジン１１への吸入空気量を算出する。この処理は、ＥＣＵ３５が、エンジン１１の運転状況及びエンジン吸気管３内の気体流量を参照することにより行われる。
【００３２】
次いで、ステップＳ５において蒸発燃料処理装置１は、算出した吸入空気量が、所定の基準空気量以上であるか否かを判断する。この処理は、ＥＣＵ３５が、算出した吸入空気量と、予め決定された基準空気量とを比較することで行われる。そして、算出された吸入空気量が、所定の基準空気量以上である場合には、ステップＳ６以降の処理が行われる。
【００３３】
ステップＳ６において蒸発燃料処理装置１は、第１のパージ弁２５及び第２のパージ弁３３の上流側と下流側との差圧を検出する。この処理は、ＥＣＵ３５が、第１のパージ弁２５及び第２のパージ弁３３の上流側にあるパージ圧力センサ２９の検出値と、エンジン供給管３内の吸気圧力センサ１５の検出値とを参照することで行われる。
【００３４】
次いで、ステップＳ７において蒸発燃料処理装置１は、第１のパージ弁２５を開弁制御する。より具体的には、ＥＣＵ３５は、ステップＳ６において検出した第１のパージ弁２５及び第２のパージ弁３３の上流側と下流側との差圧に基づいて第１のパージ弁２５の駆動デューティーを算出し、算出したデューティーに基づいて、所定間隔で第１のパージ弁２５を開閉することで行われる。これにより、パージ通路７内の蒸発燃料がエンジン供給管３内に流れ、エンジン１１に供給される。
【００３５】
一方で、ステップＳ５において、算出した吸入空気量が、所定の基準空気量以上でないと判断された場合、蒸発燃料処理装置１は、第２のパージ弁３３を開弁制御すべく、ステップＳ８において第１のパージ弁２５及び第２のパージ弁３３の上流側と下流側との差圧を検出し、ステップＳ９において第２のパージ弁３３を開弁制御する。なお、ステップＳ８における処理は、ステップＳ６における処理と同様の処理であり、ステップＳ９における処理は、ステップＳ７における処理と同様の処理であるため、詳細な説明は省略する。
【００３６】
また、ステップＳ３において、推定された蒸発燃料の濃度が、所定の基準濃度以上でないと判断された場合には、蒸発燃料処理装置１は、ステップＳ１０において吸入空気量を算出し、ステップＳ１１において算出された吸入空気量が算出した吸入空気量が、所定の基準空気量以上であるか否かを判断する。なお、ステップＳ１０における処理は、ステップＳ４における処理と同様の処理であり、ステップＳ１１における処理は、ステップＳ５における処理と同様の処理であるため、詳細な説明は省略する。
【００３７】
次いで、ステップ１１において、算出した吸入空気量が、所定の基準空気量以上であると判断された場合、蒸発燃料処理装置１は、第１のパージ弁２５及び第２のパージ弁３３の両方を開弁制御すべく、ステップＳ１２において第１のパージ弁２５及び第２のパージ弁３３の上流側と下流側との差圧を検出し、ステップＳ１３において第１のパージ弁２５及び第２のパージ弁３３を開弁制御する。
【００３８】
また、ステップＳ１１において、算出した吸入空気量が、所定の基準空気量以上でないと判断された場合、蒸発燃料処理装置１は、第１のパージ弁２５を開弁制御すべく、ステップＳ１４において第１のパージ弁２５及び第２のパージ弁３３の上流側と下流側との差圧を検出し、ステップＳ１５において第１のパージ弁２５を開弁制御する。なお、ステップＳ１２及びステップＳ１４における処理は、ステップＳ６における処理と同様の処理であり、ステップＳ１３及びステップＳ１５における処理は、ステップＳ７における処理と同様の処理であるため、詳細な説明は省略する。
【００３９】
上述した一例の処理によれば、ステップＳ２において推定された蒸発燃料の濃度、並びにステップＳ４及びステップＳ１０において算出された吸入空気量に基づいて開弁制御するパージ弁を選択することができる。
【００４０】
図５は、吸入空気量（Ｑａ）と、推定された蒸発燃料の濃度（ρ）と、開弁制御されるパージ弁との関係を示すグラフである。図５に示すグラフは、Ｘ軸に沿って推定された蒸発燃料の濃度（ρ）が示され、Ｙ軸に沿って算出された吸入空気量（Ｑａ）が示されている。そして、蒸発燃料処理装置１は、算出された吸入空気量（Ｑａ）、及び推定された蒸発燃料の濃度（ρ）の２つの値に基づいて、開弁制御するパージ弁を選択する。
【００４１】
算出された吸入空気量（Ｑａ）が基準空気量（Ｑｒ）以上であり、かつ推定された蒸発燃料の濃度（ρ）が基準濃度（ρｒ）以上でない場合、即ち、両者の関係が図５に示す領域Ａ１に当てはまる場合（図２に示すフロー図では、ステップＳ３、ステップＳ１０、ステップＳ１１、ステップＳ１２、及びステップＳ１３の順で処理を行った場合）、蒸発燃料処理装置１は、第１のパージ弁２５及び第２のパージ弁３３の両方のパージ弁を開弁制御する。これにより、パージ通路７からエンジン供給管３内に供給する蒸発燃料の量を、蒸発燃料処理装置１によって供給できる最大量とすることができる。算出された吸入空気量（Ｑａ）が基準空気量（Ｑｒ）以上であり、かつ推定された蒸発燃料の濃度（ρ）が基準濃度（ρｒ）以上でない場合には、エンジン１１からの燃料要求量が多く、かつパージ通路７内の蒸発燃料の量が少ない（換言すれば、キャニスタ１７に蓄積されている蒸発燃料の量が少ない）ことを示している。そして、パージ通路７内の蒸発燃料の量が少ない場合には、パージ通路７からエンジン供給管３内へ流れる気体の量を増やしたとしても、蒸発燃料の供給量の変動又は目標供給量に対する誤差が少なくなる。従って、この場合には、より多くの蒸発燃料をパージすべく、第１のパージ弁２５及び第２のパージ弁３３の両方を開弁制御し、パージ通路７からエンジン供給管３への気体の流入量を多くする。
【００４２】
図６は、第１のパージ弁、及び第２のパージ弁の開閉デューティーを示すグラフである。図６に示すように、ＥＣＵ３５は、第１のパージ弁２５と第２のパージ弁３３とを交互に開閉するように制御を行うことが好ましい。
【００４３】
一方で、算出された吸入空気量（Ｑａ）が基準空気量（Ｑｒ）以上でなく、かつ推定された蒸発燃料の濃度（ρ）が基準濃度（ρｒ）以上である場合、即ち、両者の関係が図５に示す領域Ａ４に当てはまる場合（図２に示すフロー図では、ステップＳ３、ステップＳ４、ステップＳ５、ステップＳ８、及びステップＳ９の順で処理を行った場合）、蒸発燃料処理装置１は、第２のパージ弁３３のみを開弁制御する。これにより、パージ通路７からエンジン供給管３内に供給する蒸発燃料の量を、蒸発燃料処理装置１によって供給できる最少量とすることができる。算出された吸入空気量（Ｑａ）が基準空気量（Ｑｒ）以上でなく、かつ推定された蒸発燃料の濃度（ρ）が基準濃度（ρｒ）以上である場合には、エンジン１１からの燃料要求量が少なく、かつパージ通路７内の蒸発燃料の量が多い（換言すれば、キャニスタ１７に蓄積されている蒸発燃料の量が多い）ことを示している。そして、パージ通路７内の蒸発燃料の量が多い場合には、パージ通路７からエンジン供給管３内へ流れる気体の量を増やすと、蒸発燃料の供給量の変動又は目標供給量に対する誤差が多くなる。また、エンジン１１からの燃料要求量が少ない状態で、大量の蒸発燃料をエンジン供給管３内に供給すると、エンジン１１によって蒸発燃料を処理し切れない可能性もある。従って、この場合には、エンジン１１に供給される蒸発燃料の量を少なくすべく、弁径が小さい第２のパージ弁３３のみを開弁制御し、パージ通路７からエンジン供給管３への気体の流入量を多くする。
【００４４】
また、算出された吸入空気量（Ｑａ）が基準空気量（Ｑｒ）以上でなく、かつ推定された蒸発燃料の濃度（ρ）が基準濃度（ρｒ）以上でない場合、即ち、両者の関係が領域Ａ２に当てはまる場合には、処理すべき蒸発燃料の量が少なく、加圧ポンプ２３の変動による蒸発燃料の供給量の変動が生じにくいため、第１のパージ弁２５のみを開弁制御して、蒸発燃料をエンジン供給管３に供給する。
【００４５】
また、算出された吸入空気量（Ｑａ）が基準空気量（Ｑｒ）以上であり、かつ推定された蒸発燃料の濃度（ρ）が基準濃度（ρｒ）以上である場合、即ち、両者の関係が領域Ａ３に当てはまる場合には、処理すべき蒸発燃料の量が多いものの、エンジン１１による燃料要求量が多いため、加圧ポンプ２５の変動による蒸発燃料の供給量の変動がエンジン１１内の空燃比の変動に与える影響がすくないため、第１のパージ弁３３のみを開弁制御する。
【００４６】
以上のように、本実施形態によれば、加圧ポンプ２３とエンジン供給管３との間に、第１のパージ弁２５が形成されたパージ通路と、第２のパージ弁３３が形成された分岐通路との２つの通路を形成することができる。そして、キャニスタ１７から流れてきた蒸発燃料の濃度が、基準濃度（ρｒ）よりも高い場合には、弁径の小さい第２のパージ弁３３を開弁制御し、第１のパージ弁２５を閉弁することにより、蒸発燃料の流量を抑制しながらエンジン供給管３に供給することができる。これにより、第１のパージ弁２５の弁径と比較して弁径の小さい第２のパージ弁３３を利用することで、加圧ポンプ２３の加圧力が変動したとしても、それによって蒸発燃料の供給量が変動するのを抑制することができる。
【符号の説明】
【００４７】
１    蒸発燃料処理装置
３    エンジン供給管
５    燃料タンク
７    パージ通路
１７    キャニスタ
１９    大気開放弁
２３    加圧ポンプ
２５    第１のパージ弁
３１    分岐管
３３    第２のパージ弁
【図１】
0006292541.tif 000002
【図２】
0006292541.tif 000003
【図３】
0006292541.tif 000004
【図４】
0006292541.tif 000005
【図５】
0006292541.tif 000006
【図６】
0006292541.tif 000007